(57)【特許請求の範囲】
【請求項１】
外部記憶媒体を接続するインターフェイス部と、
該インターフェイス部に接続された前記外部記憶媒体内のデータを読み出す読出部と、
前記外部記憶媒体から読み出された前記データを記憶する内部記憶部と、
前記外部記憶媒体の接続を解除するための動作に基づいて前記内部記憶部に記憶されたデータを削除する削除制御部とを備え、
前記削除制御部は、前記内部記憶部内のデータと前記外部記憶媒体内のデータとが一致する場合に、前記内部記憶部から一致するデータを削除する、
ことを特徴とする画像形成装置。
【請求項２】
請求項１記載の画像形成装置であって、
前記動作は、前記外部記憶媒体の接続の解除を要求する動作又は前記外部記憶媒体の接続の解除を実行する動作であること、
を特徴とする画像形成装置。
【請求項３】
請求項１又は２記載の画像形成装置であって、
前記内部記憶部は、揮発性記憶部である、
ことを特徴とする画像形成装置。
【請求項４】
インターフェイス部を介して接続された外部記憶媒体内のデータを読み出す読出手順と、
前記外部記憶媒体から読み出された前記データを内部記憶部に記憶する記憶手順と、
前記外部記憶媒体の接続を解除するための動作に基づいて前記内部記憶部に保存された前記保存データを削除する削除手順とをコンピューターに実行させ、
前記削除手順は、前記内部記憶部内のデータと前記外部記憶媒体内のデータとが一致する場合に、前記内部記憶部から一致するデータを削除する、
ことを特徴とするデータ記憶プログラム。
【発明の詳細な説明】
【技術分野】
【０００１】
本発明は、外部記憶媒体を用いて必要なデータをリストアする画像形成装置及びデータ記憶プログラムに関する。
【背景技術】
【０００２】
画像形成装置としては、例えば通常のプリント機能のほかに、ファクシミリ機能及びネットワーク機能など、複数の機能を有する複合機（ＭＦＰ）がある。このような画像形成装置では、例えばアドレス帳データ等のように各種機能に必要なデータが予め登録保持されている。
【０００３】
データの登録には、例えば特許文献１のように、外部記憶媒体を使用して行わせるものがある。この技術では、画像形成装置に外部記憶媒体を接続することで外部記憶媒体内のデータを容易に登録することができる。
【０００４】
しかしながら、画像形成装置内への登録保持を望まないデータを利用する場合は、都度入力する必要があり作業効率が悪いという問題があった。
【先行技術文献】
【特許文献】
【０００５】
【特許文献１】特開２００７−８９１５８号公報
【発明の概要】
【発明が解決しようとする課題】
【０００６】
本発明が解決しようとする問題点は、画像形成装置内への登録保持を望まないデータを利用する場合の作業効率が悪い点である。
【課題を解決するための手段】
【０００７】
本発明は、画像形成装置内への登録保持を望まないデータを利用する場合の作業効率を向上するため、外部記憶媒体を接続するインターフェイス部と、該インターフェイス部に接続された前記外部記憶媒体内のデータを読み出す読出部と、前記外部記憶媒体から読み出された前記データを記憶する内部記憶部と、前記外部記憶媒体の接続を解除するための動作に基づいて前記内部記憶部に記憶されたデータを削除する削除制御部とを備え、前記削除制御部は、前記内部記憶部内のデータと前記外部記憶媒体内のデータとが一致する場合に、前記内部記憶部から一致するデータを削除することを最も主な特徴とする。
【発明の効果】
【０００８】
本発明によれば、外部記憶媒体の接続によってデータを容易に記憶し利用させることができ、利用後に外部記憶媒体の接続を解除するための動作に基づいてデータを削除することができ、登録保持を望まないデータを利用する場合でも作業効率を向上することができる。
【図面の簡単な説明】
【０００９】
【図１】画像形成装置の制御部のブロック図である（実施例１）。
【図２】画像形成装置のバックアップ処理によるフローチャートである（実施例１）。
【図３】画像形成装置のリストア処理によるフローチャートである（実施例1）。
【図４】画像形成装置の操作パネル部に表示されるリストア処理時の画面を示している（実施例1）
【図５】図１の画像形成装置の操作パネル部に表示されるリストア処理時の画面を示している（実施例1）
【図６】画像形成装置のリストア処理によるフローチャートである（実施例２）。
【図７】画像形成装置のリストア処理によるフローチャートである（実施例３）。
【発明を実施するための形態】
【００１０】
画像形成装置内への登録保持を望まないデータを利用する場合の作業効率を向上するという目的を、外部記憶媒体から内部記憶部に記憶されたデータを、外部記憶媒体の接続を解除するための動作に基づいて削除することによって実現した。
【実施例１】
【００１１】
［画像形成装置の構成］
図１は本発明の実施例１に係る画像形成装置を示すブロック図である。
【００１２】
本実施例では、図１のように、少なくとも一対の画像形成装置１及び２を備えている。画像形成装置１及び２は、同一構成であるため、一方の画像形成装置１についてのみ説明し、他方の画像形成装置２については説明を省略する。
【００１３】
画像形成装置１は、制御部３、ネットワークインターフェイス部５、外部インターフェイス部７、操作パネル部９、記憶部１１、機能部１３を備えている。
【００１４】
制御部３は、ソフトウェアプログラムを実行して各種制御や作業を行わせるＣＰＵ（Central Process Unit）等の制御要素である。
【００１５】
ネットワークインターフェイス部５は、ローカルエリアネットワーク（ＬＡＮ）等のネットワーク接続を行うものであり、ネットワ−クを介して他の情報処理端末からデータの入出力を可能としている。
【００１６】
操作パネル部９は、タッチパネル式の液晶表示画面等を備え、画像形成装置１の各種機能部に対する操作指示及び操作状況の表示を行わせるものである。
【００１７】
外部インターフェイス部（図１中、インターフェイス部と標記している。）７は、外部記憶媒体としてのＵＳＢメモリ１０と接続するものである。具体的には、外部インターフェイス部７はＵＳＢメモリ１０の差込接続用のポート部８を備える。この外部インターフェイス部７は、ポート部８へのＵＳＢメモリ１０の差込接続を検出し、検出信号の出力を行う。
【００１８】
なお、外部記憶媒体としては、例えば画像形成装置１に対して着脱自在な他のメモリやハードディスクドライブ等を用いることも可能である。
【００１９】
記憶部１１は、内部記憶部としての揮発性記憶部３１と不揮発性記憶部３３とを備え、各種アプリケーション等のソフトウェアプログラムや各種機能に必要なデータを記憶している。なお、各種機能に必要なデータとしては、例えばデータベース、アドレス帳データ、各種機能を実行するために必要な設定データ、画像データ等がある。
【００２０】
揮発性記憶部３１は、主記憶部としてのＲＡＭ（Random Access Memory）から構成されている。不揮発性記憶部３３は、主記憶装置であるＲＯＭ（Read Only Memory）や補助記憶装置であるハードディスク等から構成されている。
【００２１】
機能部１３は、例えばプリンター部３５とファクシミリ部３７と等を備えている。プリンター部３５は、ネットワークインターフェイス部５等を介して入力されたデータのプリント処理を行う。ファクシミリ部３７は、電話回線等を通じて他のファクシミリ装置とファクシミリデータの送受信処理を行う。
【００２２】
本実施例の画像形成装置１は、制御部３により制御用プログラムを実行することで、削除制御部１９、読出部としてのデータ管理部２０、ＵＳＢ制御部２１、パネル制御部２３、ネットワーク制御部２５、プリンター制御部２７、ファクシミリ制御部２９を備える。
【００２３】
削除制御部１９は、記憶部１１内に記憶されているデータの削除を行うものである。データの削除は、ＵＳＢメモリ１０の取り外し（接続解除）に基づき、ＵＳＢメモリ１０内に記憶されているデータと同一のデータに対して行われる。
【００２４】
データ管理部２０は、記憶部１１内に記憶されているデータを読み出して外部インターフェイス部７に接続されたＵＳＢメモリ１０に対して書き込みを行う。
【００２５】
また、データ管理部２０は、外部インターフェイス部７に接続されたＵＳＢメモリ１０内のデータを読み出して記憶部１１に記憶する。
【００２６】
ＵＳＢ制御部２１は、外部インターフェイス部７に対して接続されたＵＳＢメモリ１０の制御を行うものである。
【００２７】
パネル制御部２３は、操作パネル部９の表示制御や操作制御を行う。
【００２８】
ネットワーク制御部２５は、ＬＡＮや電話回線等のネットワークに対して、データ送受信の制御を行う。
【００２９】
プリンター制御部２７は、プリンター部３５に対するプリント制御を行う。
【００３０】
ファクシミリ制御部２９は、ファクシミリ部３７に対するファクシミリ送受信の制御を行う。
［データ記憶処理］
本実施例のデータ記憶処理は、ＵＳＢメモリ１０内のデータを画像形成装置１又は２で一時的に記憶して利用させ、その利用後に削除を行うものである。
【００３１】
具体的には、一方の画像形成装置１内のアドレス帳データをＵＳＢメモリ１０内に保存し（バックアップ処理）、これを他方の画像形成装置２に対して記憶及び削除する（リストア処理）。
（バックアップ処理）
図２は、画像形成装置からＵＳＢメモリへのバックアップ処理を示すフローチャートである。
【００３２】
バックアップ処理は、ＵＳＢメモリ１０を画像形成装置１の外部インターフェイス部７に接続することでスタートし、ステップＳ１以降の処理が実行される。
【００３３】
ステップＳ１では、「接続検出」の処理が実行される。すなわち、外部インターフェイス部７は、ＵＳＢメモリ１０がポート部８に接続されると、検出信号をＵＳＢ制御部２１に対して出力する。これにより、ステップＳ１が完了し、ステップＳ２に移行する。
【００３４】
ステップＳ２では、「ＵＳＢメモリは接続されたか？」の処理が実行される。すなわち、ＵＳＢ制御部２１は、検出信号を受信したか否かを判断する。検出信号を受信した場合はステップＳ３へ移行し、検出信号を受信しない場合はステップＳ１へ戻る。
【００３５】
ステップＳ３では、「バックアップデータ指定」の処理が実行される。すなわち、パネル制御部２３は、ＵＳＢメモリ１０の接続及び操作パネル９上でのバックアップ処理の選択に応じ、操作パネル部９上に外部メモリ画面（図４（ａ）参照）を表示する。図４（ａ）の外部メモリ画面上で、画面左側の枠内をクリックすることによりチェックが表示され、バックアップデータを指定することができる。図４（ａ）においては、「アドレスデータ_００１：Ｙａｍａｄａ」が選択されている。
【００３６】
この操作パネル部９の画面上において、ＵＳＢメモリ１０に保存（バックアップ）させるアドレス帳データの指定を受け付ける。本実施例では、アドレス帳データの指定が個別のアドレス毎に行われる。アドレス帳データの指定が完了すると、ステップＳ４に移行する。
【００３７】
ステップＳ４では、「バックアップ指示」の処理が実行される。すなわち、パネル制御部２３は、操作パネル部９の外部メモリ画面上でバックアップ指示を受け付ける。バックアップ指示は、例えば、図４（ａ）の画面上の「バックアップ処理」の選択によって行われる。なお、画面上で「キャンセル」の選択した場合は、本バックアップは終了となる。
【００３８】
こうしてバックアップ処理が開始され、ステップＳ５に移行する。
【００３９】
ステップＳ５では、「パスワード認証設定？」の処理が実行される。すなわち、パネル制御部２３は、バックアップ指示に応じて、操作パネル部９の画面上でバックアップするアドレス帳データに対しパスワード認証設定を行うか否かの入力を受け付ける。パスワード認証設定を行う場合にはステップＳ６へ移行し、パスワード認証設定を行わない場合はステップＳ８へ移行する。
【００４０】
ステップＳ６では、「パスワード入力」の処理が実行される。すなわち、パネル制御部２３は、パスワード認証設定の入力に応じ、操作パネル部９の画面上でパスワードの入力を受け付ける。パスワードの入力が行われると、ステップＳ７へ移行する。
【００４１】
ステップＳ７では、「パスワード認証用データ作成」の処理が実行される。すなわち、データ管理部２０は、パスワードの入力及びバックアップ指示に応じ、指定されたアドレス帳データを記憶部１１内から読み出すと共にアドレス帳データに対するパスワード認証用データを作成する。これにより、ステップＳ７が完了し、ステップＳ８に移行する。
【００４２】
ステップＳ８では、「バックアップ処理」が実行される。すなわち、データ管理部２０は、アドレス帳データをパスワード認証用データと共にＵＳＢメモリ１０に対して書き込む。なお、ステップＳ５でパスワード認証設定がない場合、データ管理部２０は、バックアップ指示に応じて読み出されたアドレス帳データをＵＳＢメモリ１０に対して書き込む。これにより、ステップＳ８が完了し、ステップＳ９に移行する。
【００４３】
ステップＳ９では、「取外指示」の処理が実行される。すなわち、パネル制御部２３は、アドレス帳データの書き込み完了に応じ、操作パネル部９上に外部メモリ画面を表示してＵＳＢメモリ１０の取り外し指示を受け付ける（図５（ａ）参照）。これにより、ステップＳ９が完了してステップＳ１０に移行する。
【００４４】
ステップＳ１０では、「取外許可」の処理が実行される。すなわち、ＵＳＢ制御部２１は、取り外し指示に応じ、外部インターフェイス部７に対して取外許可を出力する。これにより、外部インターフェイス部７は、ＵＳＢメモリ１０の取り外し可能状態となる。なお、操作パネル部９上には、取り外し確認用の外部メモリ画面が表示され、取り外しの確認が促される（図５（ｂ）参照）。これによりステップＳ１０が終了し、ステップＳ１１へ移行する。
【００４５】
ステップＳ１１では、「ＵＳＢメモリが取り外されたか？」の処理が実行される。すなわち、ＵＳＢ制御部２１は、外部インターフェイス部７からのＵＳＢメモリ１０の検出信号の有無を判断する。検出信号がない場合はＵＳＢメモリ１０が取り外された（接続が解除された）ものと判断して、本バックアップ処理を終了させる。一方、検出信号が有る場合は、ステップＳ１１の処理を繰り返し行う。
（リストア処理）
図３はＵＳＢメモリから画像形成装置へのリストア処理を示すフローチャート、図４及び図５は操作パネル部にリストア処理時に表示される画面を示している。
【００４６】
リストア処理は、ＵＳＢメモリ１０を画像形成装置２の外部インターフェイス部７に接続することでスタートし、ステップＳ１以降の処理が実行される。なお、本リストア処理では、ＵＳＢメモリ接続及び取り外しに関する処理であるステップＳ１、Ｓ２、Ｓ１１が上記バックアップ処理と重複するため説明を省略する。
【００４７】
図３のように、リストア処理は、ステップＳ１及びＳ２が完了すると、ステップＳ２０へ移行する。
【００４８】
ステップＳ２０では、「リストアデータ指定」の処理が実行される。すなわち、パネル制御部２３は、ＵＳＢメモリ１０の接続及び操作パネル９上でのリストア処理の選択に応じ、操作パネル部９上に図４（ａ）の外部メモリ画面を表示する。
【００４９】
この操作パネル部９の画面上において、ＵＳＢメモリ１０に保存されているアドレス帳データからリストア処理の対象となるデータの指定を受け付ける。本実施例では、バックアップ処理同様、アドレス帳データの指定が個別のアドレス毎に行われる。図４（ａ）は、画面左側の枠内をクリックすることによりチェックが表示され、「アドレスデータ_００１：Ｙａｍａｄａ」が指定された状態を示している。こうしてステップＳ２０が完了すると、ステップＳ２１に移行する。
【００５０】
なお、本実施例では、ＵＳＢメモリ１０に画像データも保存されており、印刷処理の対象データとして画像データを指定することも可能である。この場合は、外部メモリ画面上で「印刷実行」を選択して、印刷処理が行われることになる。
【００５１】
ステップＳ２１では、「リストア指示」の処理が実行される。すなわち、パネル制御部２３は、操作パネル部９の外部メモリ画面上でリストア指示を受け付ける。リストア指示は、画面上の「リストア処理」の選択によって行われる。なお、画面上で「キャンセル」の選択した場合は、本リストアは終了となる。
【００５２】
リストア指示に応じて、パネル制御部２３は、図４（ｂ）の外部メモリ画面を表示させてリストア処理対象データの確認指示を受け付ける。リストア処理の確認指示は、外部メモリ画面の「はい」の選択によって行われる。
【００５３】
こうしてバックアップ処理が開始され、ステップＳ２２に移行する。
【００５４】
ステップＳ２２では、「パスワード認証あり？」の処理が実行される。すなわち、データ管理部２０は、確認指示に応じて、リストア対象のアドレス帳データをＵＳＢメモリ１０から読み出しを開始する。この読み出しの際に、データ管理部２０は、アドレス帳データにパスワード認証設定がなされているか否かを判断する。パスワード認証設定がある場合にはステップＳ２３へ移行し、パスワード認証設定がない場合はステップＳ２５へ移行する。
【００５５】
ステップＳ２３では、「パスワード入力」の処理が実行される。すなわち、パネル制御２部３は、操作パネル部９の画面上でパスワードの入力を受け付ける。パスワードの入力が行われると、ステップＳ２４へ移行する。
【００５６】
ステップＳ２４では、「パスワード認証ＯＫ？」の処理が実行される。すなわち、データ管理部２０は、入力されたパスワードが設定されたパスワードと一致するか否かの認証を行う。
【００５７】
入力されたパスワードが認証された場合にはステップＳ２５へ移行し、認証されない場合には本リストア処理は終了となる。
【００５８】
ステップＳ２５では、読出手順及び記憶手順としての「リストア処理」が実行される。すなわち、データ管理部２０は、パスワード認証に応じ、指定されたアドレス帳データの読み出しを行うと共に記憶部１１内の揮発性記憶部３１に書き込んで記憶する。本実施例では、「アドレスデータ_００１：Ｙａｍａｄａ」が追加される。なお、ステップＳ２２でパスワード認証がない場合は、リストア指示に応じて、アドレス帳データの読み出し及び記憶が行われる。
【００５９】
なお、記憶が完了した後は、操作パネル部９の操作に応じて図４（ｃ）のアドレス帳画面を表示させ、リストアされたアドレス帳データの確認を行うことができる。
【００６０】
リストア後は、アドレス帳データを利用してＦＡＸ等の各種機能を実行することができる。このとき、アドレス帳データが主記憶装置である揮発性記憶部３１に記憶されているため、処理速度を向上することができる。各種機能の実行後は、ステップＳ２６に移行する。
【００６１】
ステップＳ２６では、「取外指示」の処理が実行される。すなわち、パネル制御部２３は、操作パネル部９上での操作に応じて図５（ａ）の外部メモリ画面を表示する。この画面上で、ＵＳＢメモリ１０の取り外し指示を受け付ける。取り外し指示は、画面上の「メモリ取り外し」の選択によって行われる。
【００６２】
これにより、ステップＳ２６が完了してステップＳ２７に移行する。
【００６３】
ステップＳ２７では、「取外許可」の処理が実行される。すなわち、ＵＳＢ制御部２１は、取り外し指示に応じて、ＵＳＢメモリ１０を解除するための動作として、取外許可を外部インターフェイス部７に出力する。これにより、外部インターフェイス部７は、ＵＳＢメモリ１０の取り外し可能状態となる。同時に、ＵＳＢ制御部２１は、削除制御部１９に対しても取外許可を出力する。
【００６４】
なお、操作パネル部９上には、パネル制御部２３により図５（ｂ）の取り外し確認用の外部メモリ画面を表示され、取り外しの確認が促される。これによりステップＳ２７が終了し、ステップＳ２８へ移行する。
【００６５】
ステップＳ２８では、削除手順としての「リストアデータ削除」の処理が実行される。すなわち、削除制御部１９は、取外許可に応じて、揮発性記憶部３１にリストアされたアドレス帳データの削除を行う。
【００６６】
削除の際に、削除制御部１９は、揮発性記憶部３１内のアドレス帳データにＵＳＢメモリ１０に保存されているアドレス帳データと同一のものがあるかを確認する。同一のアドレス帳データである場合は、そのアドレス帳データが揮発性記憶部３１から削除される。本実施例では、「アドレスデータ_００１：Ｙａｍａｄａ」が削除される。
【００６７】
なお、削除が完了した後は、操作パネル部９での操作により、図５（ｃ）のアドレス帳画面を表示させて、アドレス帳データが削除されたことを確認することができる。
【００６８】
こうしてステップＳ２８が終了すると、ステップＳ１１の「ＵＳＢメモリ取外」の処理を行わせて、一連のリストア処理が完了する。
［実施例１の効果］
本実施例の画像形成装置２（１）は、ＵＳＢメモリ１０を接続する外部インターフェイス部７と、該外部インターフェイス部７に接続されたＵＳＢメモリ１０内のアドレス帳データを読み出す読出部としてのデータ管理部２０と、ＵＳＢメモリ１０から読み出されたアドレス帳データを記憶する内部記憶部としての揮発性記憶部３１と、ＵＳＢメモリ１０の接続を解除するための動作である取外許可に基づいて揮発性記憶部３１に記憶されたアドレス帳データを削除する削除制御部１９とを備えている。
【００６９】
従って、画像形成装置２（１）は、ＵＳＢメモリ１０を接続することでＵＳＢメモリ１０内に保存されているアドレス帳データを揮発性記憶部３１に記憶することができ、記憶されたアドレス帳データを用いて画像形成装置２（１）の各種機能を実施することができる。
【００７０】
しかも、画像形成装置２（１）は、ＵＳＢメモリ１０の取外許可に基づき、ＵＳＢメモリ１０から揮発性記憶部３１に記憶されたアドレス帳データを削除することができる。
【００７１】
このように、画像形成装置２（１）は、ＵＳＢメモリ１０の接続によって必要なアドレス帳データを容易に記憶して利用させ、その利用後にＵＳＢメモリ１０の接続を解除するための動作に基づいてアドレス帳データを確実に削除することができる。
【００７２】
従って、画像形成装置２（１）では、登録保持を望まないデータを利用する場合でも作業効率を向上することができる。
【００７３】
アドレス帳データの削除は、ＵＳＢメモリ１０の取外許可に応じて行われるため、容易且つ確実に行わせることができる。
【００７４】
また、画像形成装置２（１）では、リストアされたアドレス帳データが主記憶装置である揮発性記憶部３１に記憶されているため、リストアされたアドレス帳データの削除を確実に行わせることができると共に不揮発性記憶部３３の記憶領域の圧迫等を抑制することもできる。
【００７５】
さらに、画像形成装置２（１）では、アドレス帳データが主記憶装置である揮発性記憶部３１に記憶されているため、ＦＡＸ等の各種機能の実行時に処理速度を向上することができる。
【００７６】
削除制御部１９は、揮発性記憶部３１内のアドレス帳データとＵＳＢメモリ１０内のアドレス帳データとが一致する場合に、揮発性記憶部３１から一致するアドレス帳データを削除する。
【００７７】
従って、画像形成装置２（１）では、リストアされたアドレス帳データの削除を確実に行わせることができる。
［変形例］
実施例１では、記憶部１１内のプログラムを実行して削除制御部１９及びデータ管理部２０を備えるように構成していたが、ＵＳＢメモリ１０内のプログラムを実行することで削除制御部１９及びデータ管理部２０を備える構成とすることも可能である。
【００７８】
すなわち、変形例に係る画像形成装置２（１）は、ＵＳＢメモリ１０が外部インターフェイス７に接続され、且つ操作パネル９上でバックアップ処理又はリストア処理が選択されると、制御部３によってＵＳＢ内のプログラムが実行される。この実行により、制御部３は、削除制御部１９及びデータ管理部２０を備える。なお、削除制御部は、リストア処理の選択時にのみ構成される。
【００７９】
本変形例においても、上記実施例と同様の作用効果を奏することができる。
【実施例２】
【００８０】
図６は、本発明の実施例２に係るＵＳＢメモリから画像形成装置へのリストア処理を示すフローチャートである。なお、本実施例の画像形成装置は、上記実施例１の画像形成装置と同一の構成であるため、同符号を用いて重複した説明を省略する。
【００８１】
本実施例の画像形成装置２（１）は、ＵＳＢメモリ１０の接続を解除するための動作としての取外許可に応じてリストアされたアドレス帳データの削除を行うものである。
【００８２】
すなわち、本実施例のリストア処理では、実施例１の図３のステップＳ２７の及びステップＳ２８に代えて、図６のようにステップＳ３１が行われる。
【００８３】
具体的には、リストア処理がスタートすると、上記実施例同様にステップＳ１，Ｓ２，Ｓ２０〜Ｓ２６の後にステップＳ３１へ移行する。
【００８４】
ステップ３１では、「取外許可及びリストアデータ削除」の処理が実行される。すなわち、制御部３は、ステップＳ２６でのＵＳＢメモリ１０の取外指示に応じて、ＵＳＢ制御部２１が外部インターフェイス部７をＵＳＢメモリ１０の取り外し可能状態とすると共に削除制御部１９がリストされたアドレス帳データの削除を行う。
【００８５】
これにより、ステップＳ３１が完了し、ステップＳ１１の「ＵＳＢメモリ取外」の処理を行わせて一連のリストア処理が完了する。
【００８６】
従って、本実施例においても、上記実施例と同様の作用効果を奏することができるのに加え、ＵＳＢメモリ１０の接続を解除するための動作としての取外許可に応じてリストアされたアドレス帳データの削除するため、処理手順の簡素化を図ることができる。
【実施例３】
【００８７】
図７は、本発明の実施例３に係るＵＳＢメモリから画像形成装置へのリストア処理を示すフローチャートである。なお、本実施例の画像形成装置は、上記実施例１の画像形成装置と同一の構成であるため、同符号を用いて重複した説明を省略する。
【００８８】
本実施例の画像形成装置２（１）は、ＵＳＢメモリ１０の接続を解除するための動作としての取外実行によりリストアされたアドレス帳データの削除を行うものである。
【００８９】
すなわち、本実施例のリストア処理では、実施例１の図３のステップＳ２８の「リストアデータ削除」を、図６のようにステップＳ３２としてステップＳ１１の後に行わせる。
【００９０】
具体的には、リストア処理がスタートすると、上記実施例同様にステップＳ１，Ｓ２，Ｓ２０〜Ｓ２７が順に行われた後にステップＳ１１へ移行する。ステップＳ１１の「ＵＳＢメモリ取外」の処理を行われると、ステップＳ３２の「リストアデータ削除」の処理が実行される。
【００９１】
すなわち、制御部３は、ＵＳＢ制御部２１によりＵＳＢメモリ１０の取り外しを確認すると、削除制御部１９がリストアされたアドレス帳データの削除を行う。これにより、ステップＳ３２が完了して、一連のリストア処理が完了する。
【００９２】
従って、本実施例においても、上記実施例と同様の作用効果を奏することができる。
【００９３】
[その他]
以上、本発明の実施例について説明したが、本発明はこれに限定されるものではなく、各種の変更ができる。
【００９４】
例えば、上記実施例では、一方の画像形成装置１からＵＳＢメモリ１０にバックアップしたデータを他方の画像形成装置２にリストアしていたが、予めＵＳＢメモリ１０にユーザーが個人的な使用を望むデータを登録しておき、これを何れかの画像形成装置１又は２にリストアするようにしてもよい。
【００９５】
また、上記実施例では、内部記憶部として揮発性記憶部３１を用いることも可能であるが、例えばデータ削除可能なハードディスクドライブ等の不揮発性記憶部３３を内部記憶部として用いてもよい。
【符号の説明】
【００９６】
１，２    画像形成装置
３    制御部
５    ネットワークインターフェイス部
７    外部インターフェイス部（インターフェイス部）
１９  削除制御部
２０  データ管理部（読出部）
３１  揮発性記憶部（内部記憶部）
【図１】
0005325862.tif 000002
【図４】
0005325862.tif 000003
【図５】
0005325862.tif 000004
【図２】
0005325862.tif 000005
【図３】
0005325862.tif 000006
【図６】
0005325862.tif 000007
【図７】
0005325862.tif 000008